(57)【要約】【課題】本発明は、スペースの有効利用を図りつつ、雨水を貯水可能な構造物を得ることを目的とする。【解決手段】構造物１０は、屋根なしの中庭１２を有する構造体２０と、中庭１２を囲み、中庭１２に貯水空間３４を形成する防水シャッタ３０と、を備える。【選択図】図３
2020180473.tif 000002
【特許請求の範囲】
【請求項１】
屋根なし又は屋根付きの中庭を有する構造体と、
前記中庭を囲み、該中庭に貯水空間を形成する遮水部材と、
を備える構造物。
【請求項２】
前記中庭に接続され、該中庭の雨水を排水する排水管と、
前記排水管に設けられ、該排水管を開閉する開閉部材と、
を備える請求項１に記載の構造物。
【請求項３】
前記遮水部材を収容する収容部を備える、
請求項１又は請求項２に記載の構造物。
【請求項４】
遮水部材は、防水シャッタ、遮水板、及び前記中庭に面する耐圧ガラスの少なくとも一つを含む、
請求項１〜請求項３の何れか１項に記載の構造物。
【発明の詳細な説明】
【技術分野】
【０００１】
本発明は、構造物に関する。
【背景技術】
【０００２】
建築物の側部に設けられ、建築物の屋根に降った雨を貯水する雨水タンクが知られている（例えば、特許文献１参照）。また、高速道路の橋脚内に形成され、高速道路に降った雨を貯水する貯水槽が知られている（例えば、特許文献２参照）。
【先行技術文献】
【特許文献】
【０００３】
【特許文献１】実開昭６０−５８６６３号公報
【特許文献２】特開平１１−３２３８２８号公報
【発明の概要】
【発明が解決しようとする課題】
【０００４】
特許文献１に開示された技術では、例えば、豪雨時に雨水タンクに雨水を貯水することにより、河川の氾濫や、床上浸水等が抑制される。また、特許文献１に開示された技術では、地下に雨水貯留槽を形成する場合と異なり、地盤を掘削する必要がないため、施工性が向上する。
【０００５】
しかしながら、特許文献１に開示された技術では、構造物の側部に雨水タンクの設置スペースが必要になる。
また、特許文献２に開示された技術では、橋脚内の空間を貯水空間として用いるため、貯水可能な水量が限られている。
【０００６】
本発明は、上記の事実を考慮し、スペースの有効利用を図りつつ、雨水を貯水可能な構造物を得ることを目的とする。
【課題を解決するための手段】
【０００７】
請求項１に記載の構造物は、屋根なし又は屋根付きの中庭を有する構造体と、前記中庭を囲み、該中庭に貯水空間を形成する遮水部材と、を備える。
【０００８】
請求項１に係る構造物によれば、遮水部材は、構造物の中庭を囲み、当該中庭に貯水空間を形成する。これにより、例えば、豪雨時に、貯水空間に雨水を貯水することができる。したがって、河川の氾濫や、床上浸水等を抑制することができる。
【０００９】
また、本発明では、前述したように、中庭に貯水空間を形成する。そのため、本発明は、地下に雨水貯留槽を形成する場合と異なり、地下を掘削する必要がないため、施工性が向上する。また、本発明では、中庭に貯水空間を形成するため、従来技術（例えば、特許文献２参照）のように、橋脚内に貯水空間を形成する場合と比較して、貯水量を増加することができる。
【００１０】
さらに、本発明では、中庭と貯水空間とを兼用する。これにより、本発明では、構造物に雨水タンクを設ける場合と比較して、スペースの有効利用を図ることができる。
【００１１】
請求項２に記載の構造物は、請求項１に記載の構造物において、前記中庭に接続され、該中庭の雨水を排水する排水管と、前記排水管に設けられ、該排水管を開閉する開閉部材と、を備える。
【００１２】
請求項２に係る構造物によれば、中庭には、中庭の雨水を排水する排水管が接続される。この排水管には、当該排水管を開閉する開閉部材が設けられる。
【００１３】
ここで、例えば、豪雨以外の通常時は、排水管の開閉部材を開けておく。これにより、中庭の雨水は、排水管を介して排水される。
【００１４】
一方、豪雨時には、排水管の開閉部材を閉じる。これにより、排水管による中庭の雨水の排水が制限される。この結果、中庭の貯水空間に雨水を効率的に貯水することができる。したがって、河川の氾濫や床上浸水（地域の浸水被害）等をさらに抑制することができる。
【００１５】
請求項３に記載の構造物は、請求項１又は請求項２に記載の構造物において、前記遮水部材を収容する収容部を備える。
【００１６】
請求項３に係る構造物によれば、遮水部材を収容する収容部が設けられる。これにより、豪雨以外の通常時は、収容部に遮水部材を収容することにより、中庭から貯水空間をなくすことができる。したがって、中庭の有効スペースを広げることができる。
【００１７】
一方、豪雨時には、収容部に収容された遮水部材を中庭へ展開させることにより、中庭に貯水空間を形成することができる。したがって、河川の氾濫や、床上浸水（地域の浸水被害）等を抑制することができる。
【００１８】
請求項４に記載の構造物は、請求項１〜請求項３の何れか１項に記載の構造物において、遮水部材は、防水シャッタ、遮水板、及び前記中庭に面する耐圧ガラスの少なくとも一つを含む。
【００１９】
請求項４に係る構造物によれば、防水シャッタ、遮水板、及び中庭に面する耐圧ガラスによって、中庭に貯水空間に容易に形成することができる。
【発明の効果】
【００２０】
以上説明したように、本発明によれば、スペースの有効利用を図りつつ、雨水を貯水可能な構造物を得ることができる。
【図面の簡単な説明】
【００２１】
【図１】第一実施形態に係る構造物を示す平面図である。
【図２】図１の２−２線断面図である。
【図３】第一実施形態に係る構造物の中庭に、貯水空間が形成された状態を示す図２に対応する断面図である。
【図４】第二実施形態に係る構造物を示す図２に対応する平面図である。
【図５】第二実施形態に係る構造物の中庭に、貯水空間が形成された状態を示す図４に対応する断面図である。
【図６】第一実施形態の変形例に係る遮水板を示す縦断面図である。
【図７】第一実施形態の変形例に係る中庭を示す斜視図である。
【図８】第一実施形態の変形例に係る構造物を示す平面図である。
【発明を実施するための形態】
【００２２】
（第一実施形態）
先ず、第一実施形態について説明する。
【００２３】
図１には、第一実施形態に係る構造物１０が示されている。構造物１０は、構造体２０と、雨水処理設備４０（図２参照）とを有している。構造体（上部構造体）２０は、平面視にて、矩形環状（ロの字形状）に形成されている。また、構造体２０の中央部には、屋根なしの中庭１２が形成されている。中庭１２は、平面視にて、矩形状に形成されている。この中庭１２には、地面が露出されている。
【００２４】
図２に示されるように、構造体２０は、複数階で構成されている。この構造体２０の各階の部屋２２には、中庭１２に面するベランダ２４が設けられている。ベランダ２４には、腰壁２６が設けられている。この腰壁２６の上には、開口部２８が形成されている。なお、腰壁２６は、中庭１２に面する外装材の一例である。
【００２５】
構造体２０の１階２０Ｆ１には、複数の防水シャッタが設けられている。複数の防水シャッタは、遮水性及び耐圧性（耐水圧性）を有する電動シャッタとされている。これらの防水シャッタは、中庭１２を取り囲むように、構造体２０の１階２０Ｆ１の図示しない通路や、ベランダ２４に設けられている。
【００２６】
図３には、一例として、構造体２０の１階２０Ｆ１のベランダ２４に設けられた防水シャッタ３０が示されている。防水シャッタ３０は、開口部２８を開閉可能にベランダ２４に設けられている。
【００２７】
具体的には、図２に示されるように、上階のベランダ２４に設けられた収容部３２に展開可能に収容されている。この状態では、ベランダ２４の開口部２８が開けられている。一方、図３に示されるように、防水シャッタ３０が収容部３２から下方へ展開されると、防水シャッタ３０が腰壁２６の外面に沿って配置されるとともに、防水シャッタ３０の下端部が中庭１２の地面に達する。これにより、ベランダ２４の開口部２８が閉じられる。
【００２８】
ここで、１階２０Ｆ１の複数の防水シャッタ３０が展開されると、これらの防水シャッタ３０によって中庭１２が取り囲まれる。これにより、複数の防水シャッタ３０の内側に、雨水を貯水可能な貯水空間３４が形成される。
【００２９】
なお、防水シャッタ３０は、遮水部材の一例である。また、複数の防水シャッタ３０には、後述する制御部７０が電気的に接続されている。これらの防水シャッタ３０は、制御部７０によって、収容部３２に収容された収容状態と、収容部３２から展開された展開状態とに切り替えられる。
【００３０】
（雨水処理設備）
図２及び図３に示されるように、構造物１０には、雨水を公共雨水管１４に排水する雨水処理設備４０が設けられている。公共雨水管１４は、例えば、構造物１０の敷地外の地盤Ｇに埋設されている。この公共雨水管１４には、例えば、公共の側溝１６等が排水管１８を介して接続されている。
【００３１】
雨水処理設備４０は、複数の雨樋４４と、複数の雨水枡４６Ａ，４６Ｂと、複数の排水管４８，５４と、複数の中庭排水管５２と、開閉部材６０とを備えている。複数の雨樋４４は、構造体２０の外壁（外周壁）２０Ａに沿って上下方向に延びる排水管とされており、構造体２０の両側に設けられている。これらの雨樋４４の上端部は、構造体２０の屋上２０Ｒに達している。
【００３２】
図１に示されるように、構造体２０の屋上（屋根）２０Ｒの外周部及び内周部には、屋上２０Ｒを囲むパラペット３６が設けられている。この屋上２０Ｒには、雨水を排水する複数の屋上排水口４２が形成されている。複数の屋上排水口４２は、屋上２０Ｒの両側に形成されている。これらの屋上排水口４２には、前述した雨樋４４の上端部がそれぞれ接続されている。
【００３３】
なお、屋上２０Ｒの床には、屋上排水口４２へ雨水を流すための排水勾配が付けられている。また、屋上排水口４２の数や配置は、適宜変更可能である。
【００３４】
図３に示されるように、雨樋４４の下端部は、雨水枡４６Ａ，４６Ｂにそれぞれ接続されている。雨水枡４６Ａ，４６Ｂは、構造物１０の敷地内の地盤Ｇに埋設されている。これにより、屋上２０Ｒの雨水が、屋上排水口４２（図１参照）及び雨樋４４を介して、雨水枡４６Ａ，４６Ｂへ排水される。
【００３５】
複数の雨水枡４６Ａ，４６Ｂは、排水管４８を介して互いに接続されている。また、排水管４８には、複数の中庭排水管５２が接続されている。これらの中庭排水管５２は、中庭１２に形成された複数の中庭排水口５０に接続されている。これにより、中庭１２の雨水が、中庭排水口５０、及び中庭排水管５２を介して排水管４８へ排水される。
【００３６】
また、複数の中庭排水口５０は、複数の防水シャッタ３０によって貯水空間３４が形成された場合、貯水空間３４内に配置される。つまり、貯水空間３４は、中庭排水口５０、及び中庭排水管５２を介して排水管４８に接続される。これにより、貯水空間３４に貯水された雨水Ｗが、中庭排水口５０、及び中庭排水管５２を介して排水管４８に排水される。なお、中庭排水管５２は、排水管の一例である。
【００３７】
複数の雨水枡４６Ａ，４６Ｂのうち公共雨水管１４側の雨水枡４６Ａは、排水管５４を介して公共雨水管１４に接続されている。また、排水管４８，５４には、公共雨水管１４に向かって下る排水勾配（下り勾配）が付けられている。これにより、屋上２０Ｒ及び中庭１２の雨水が、雨水枡４６Ａ，４６Ｂから排水管４８，５４を介して公共雨水管１４へ排水される。
【００３８】
ここで、公共雨水管１４側の雨水枡４６Ａには、開閉部材６０が設けられている。開閉部材６０は、例えば、排水管５４を開閉する電磁弁や、排水管５４を開閉する開閉ダンパ（開閉板）とされている。また、開閉部材６０には、制御部７０が電気的に接続されている。この開閉部材６０は、制御部７０によって、排水管５４を開ける開状態と、排水管５４を閉じる閉状態とに切り替えられる。
【００３９】
（制御部）
制御部７０は、例えば、ＣＰＵ、メモリ、及び記録装置を含むコンピュータで構成されており、前述した防水シャッタ３０及び開閉部材６０に電気的に接続されている。この制御部７０によって、複数の防水シャッタ３０及び開閉部材６０の動作が制御される。本実施形態の制御部７０は、一例として、構造物１０がある地域の降水量予報に基づいて、開閉部材６０、及び複数の防水シャッタ３０の動作を制御する。
【００４０】
具体的には、制御部７０は、構造物１０がある地域の降水量予報を受信する受信部を有している。そして、制御部７０は、受信部が受信した降水量予報が所定値（閾値）を超えた場合に、構造体２０の１階２０Ｆ１の複数の防水シャッタ３０を作動し、収容部３２に収容された防水シャッタ３０を展開させる。これにより、複数の防水シャッタ３０によって中庭１２が取り囲まれ、これらの防水シャッタ３０の内側に、雨水Ｗを貯水可能な貯水空間３４が形成される。
【００４１】
また、制御部７０は、受信部が受信した降水量予報が所定値を超えた場合に、開閉部材６０を作動し、排水管５４を開ける開状態から、排水管５４を閉じる閉状態に切り替える。これにより、構造物１０の雨水処理設備４０から公共雨水管１４への雨水の排水Ｗが停止される。
【００４２】
なお、降水量予報の所定値は、例えば、公共雨水管１４の排水能力や、構造物１０の雨水処理設備４０の排水能力に基づいて設定される。そして、制御部７０は、例えば、受信部が受信した降水量予報が、公共雨水管１４の排水能力、及び構造物１０の雨水処理設備４０の少なくとも一方の排水能力を超えた場合に、開閉部材６０、及び複数の防水シャッタ３０を作動させる。
【００４３】
（作用）
次に、第一実施形態の作用について説明する。
【００４４】
図２には、複数の防水シャッタ３０（図３参照）が収容部３２に収容されるとともに、開閉部材６０が排水管５４を開けた状態（通常状態）が示されている。この状態から、制御部７０は、受信部が受信した降水量予報が所定値を超えた場合に、先ず、図３に示されるように、構造体２０の１階２０Ｆ１の複数の防水シャッタ３０を作動し、これらの防水シャッタ３０を展開させる。これにより、構造体２０の中庭１２に、雨水を貯水可能な貯水空間３４が形成される。
【００４５】
次に、制御部７０は、開閉部材６０を作動し、開閉部材６０によって排水管５４を閉じる。これにより、構造物１０の雨水処理設備４０から公共雨水管１４への雨水の排水が停止される。この結果、中庭１２に降った雨水Ｗが、当該中庭１２に形成された貯水空間３４に貯水される。
【００４６】
このように本実施形態では、例えば、豪雨時に、構造体２０の中庭１２に降った雨水Ｗを貯水空間３４に貯水することができる。この結果、公共雨水管１４が溢れることが抑制される。したがって、構造物１０がある地域の浸水被害（床上浸水）や、河川の氾濫等を抑制することができる。
【００４７】
また、構造体２０の屋上２０Ｒに降った雨水は、雨水枡４６Ａ，４６Ｂから排水管４８及び中庭排水管５２を介して、中庭排水口５０から貯水空間３４へ逆流し、貯水空間３４に貯水される。これにより、公共雨水管１４が溢れることがさらに抑制される。
【００４８】
さらに、本実施形態では、複数の防水シャッタ３０によって、中庭１２に貯水空間３４を形成する。そのため、本実施形態では、地下に雨水貯留槽を形成する場合と異なり、地盤Ｇを掘削する必要がないため、施工性が向上する。
【００４９】
しかも、本実施形態では、中庭１２と貯水空間３４とを兼用する。これにより、本実施形態では、構造体２０に雨水タンクを設ける場合と比較して、スペースの有効利用を図ることができる。また、本実施形態では、中庭１２に貯水空間３４を形成するため、従来技術（例えば、特許文献２参照）のように、橋脚内に貯水空間を形成する場合と比較して、貯水量を増やすことができる。
【００５０】
また、豪雨以外の通常時は、防水シャッタ３０を収容部３２に収容することにより、中庭１２から貯水空間３４をなくすことができる。したがって、中庭１２の有効スペースを広げることができる。
【００５１】
さらに、貯水空間３４には、中庭排水管５２を介して排水管４８が接続されている。これにより、豪雨が去った後に、制御部７０によって開閉部材６０を作動させ、排水管５４を開けることにより、貯水空間３４に貯水された雨水Ｗが中庭排水管５２、及び排水管４８，５４を介して公共雨水管１４へ排水される。したがって、貯水空間３４に貯水した雨水Ｗの排水処理が容易となる。
【００５２】
しかも、防水シャッタ３０は、構造体２０の１階２０Ｆ１のベランダ２４の開口部２８を開閉するシャッタと兼用されている。したがって、本実施形態では、構造体２０の１階２０Ｆ１に、貯水空間３４用の専用防水シャッタを設ける場合と比較して、コストを削減することができる。
【００５３】
（第二実施形態）
次に、第二実施形態について説明する。なお、第二実施形態において、第一実施形態と同じ構成の部材等には、同符号を付して説明を適宜省略する。
【００５４】
図４及び図５に示されるように、第二実施形態に係る構造物１０は、雨水処理設備８０を備えている。雨水処理設備８０は、複数の雨樋８２と、ろ過槽８４と、処理水貯留槽８６とを有している。
【００５５】
複数の雨樋８２は、構造体２０の中庭１２に配置されている。雨樋８２は、上下方向に延びる排水管とされている。これらの雨樋８２の上端部には、構造体２０の屋上２０Ｒに形成された図示しない屋上排水口が接続されている。一方、雨樋８２の下端部は、中庭１２の地盤Ｇに埋設されたろ過槽８４に接続されている。これにより、屋上２０Ｒに降った雨水が、雨樋８２を介してろ過槽８４に排水される。
【００５６】
ろ過槽８４は、中庭１２の下の地盤Ｇに埋設されている。このろ過槽８４は、中庭１２から地盤Ｇに浸透した雨水Ｗをろ過し、雨水Ｗ中の浮遊物等を除去する。このろ過槽８４の下には、処理水貯留槽８６が設けられている。
【００５７】
処理水貯留槽（浄化水貯留槽）８６は、ろ過槽８４の下の地盤Ｇに埋設されている。この処理水貯留槽８６には、ろ過槽８４でろ過されたろ過水（処理水）Ｗが貯水される。また、処理水貯留槽８６には、排水管８８を介して雨水枡４６Ａが接続されている。この処理水貯留槽８６には、排水管８８を開閉する開閉部材６０が設けられている。
【００５８】
処理水貯留槽８６には、屋内給水管９０を介して構造体２０の屋上２０Ｒ等に設けられた高置水槽９１が接続されている。また、屋内給水管９０には、ポンプ９２が設けられている。このポンプ９２を作動することにより、処理水貯留槽８６から屋内給水管９０を介して高置水槽９１にろ過水Ｗが供給される。
【００５９】
また、処理水貯留槽８６には、屋外給水管９４を介して蛇口等の屋外給水器９６が接続されている。また、屋外給水管９４には、ポンプ９８が設けられている。このポンプ９８を作動することにより、処理水貯留槽８６から屋外給水管９４を介して屋外給水器９６にろ過水Ｗが供給される。
【００６０】
なお、処理水貯留槽８６に貯水されたろ過水Ｗは、例えば、トイレや、植物への散水等の雑用水に用いられる。
【００６１】
（作用）
次に、第二実施形態の作用について説明する。
【００６２】
本実施形態に係る構造物１０によれば、中庭１２の下の地盤Ｇにろ過槽８４、及び処理水貯留槽８６が埋設されている。これにより、中庭１２に降った雨水Ｗは、ろ過槽８４でろ過された後に、処理水貯留槽８６に貯水される。
【００６３】
また、中庭１２には、複数の雨樋８２が設けられている。これにより、屋上２０Ｒに降った雨水Ｗは、複数の雨樋８２を介してろ過槽８４へ排水され、ろ過槽８４でろ過された後、処理水貯留槽８６に貯水される。
【００６４】
ここで、処理水貯留槽８６には、屋内給水管９０を介して構造体２０が接続されるとともに、屋外給水管９４を介して屋外給水器９６が接続されている。これにより、構造体２０の中庭１２及び屋上２０Ｒに降った雨水（ろ過水）Ｗを再利用することができる。
【００６５】
また、処理水貯留槽８６には、排水管８８を介して雨水枡４６Ａが接続されている。これにより、処理水貯留槽８６に貯水されたろ過水Ｗの貯留量が所定値を超えると、ろ過水Ｗが排水管８８、雨水枡４６Ａ、及び排水管５４を介して公共雨水管１４へ排水される。
【００６６】
ここで、本実施形態の制御部７０は、受信部が受信した降水量予報が所定値を超えた場合に、先ず、図５に示されるように、構造体２０の１階２０Ｆ１の複数の防水シャッタ３０を作動し、これらの防水シャッタ３０を展開させる。これにより、構造体２０の中庭１２に、雨水Ｗを貯水可能な貯水空間３４が形成される。
【００６７】
次に、制御部７０は、開閉部材６０を作動し、開閉部材６０によって排水管８８を閉じる。これにより、処理水貯留槽８６から公共雨水管１４へのろ過水Ｗの排水が停止される。この結果、中庭１２及び屋上２０Ｒに降った雨水Ｗが、当該中庭１２に形成された貯水空間３４に貯水される。したがって、公共雨水管１４が溢れることが抑制される。そのため、構造物１０がある地域の浸水被害（床上浸水）や、河川の氾濫等を抑制することができる。
【００６８】
また、貯水空間３４に貯水された雨水Ｗは、ろ過槽８４でろ過された後、処理水貯留槽８６に貯水される。そして、処理水貯留槽８６に貯水されたろ過水（雨水）Ｗは、ポンプ９２，９８を作動することにより、屋内給水管９０や屋外給水器９６に給水される。したがって、例えば、豪雨が去った後の復興時に、処理水貯留槽８６に貯水されたろ過水Ｗを容易に再利用することができる。
【００６９】
（変形例）
次に、上記実施形態の変形例について説明する。なお、以下では、上記第一実施形態を例に各種の変形例について説明するが、これらの変形例は、上記第二実施形態にも適宜適用可能である。
【００７０】
上記第一実施形態では、構造体２０の１階２０Ｆ１に設けられた防水シャッタ３０によって貯水空間３４が形成されている。しかしながら、例えば、構造体２０の２階や３階のベランダ２４にも防水シャッタを設け、これらの防水シャッタによって、構造体２０の複数階に亘る貯水空間を形成することも可能である。この場合、例えば、制御部７０は、受信部が受信した降水量予報に応じて、構造体２０の２階や３階の防水シャッタを適宜展開する。これにより、貯水空間に貯水された雨水のオーバーフローが抑制される。
【００７１】
また、上記第一実施形態では、遮水部材としての防水シャッタ３０が、展開状態において、ベランダ２４の腰壁２６の外面に沿って配置される。しかしながら、防水シャッタは、展開状態において、中庭１２に面する構造体２０の外壁やサッシュ等の外装材に沿って、又は外装材と対向して配置されても良い。また、遮水板や防水シート等の遮水部材を、中庭１２に面する構造体２０の外装材に沿って、又は外装材と対向して配置しても良い。なお、ベランダ２４は、省略可能である。
【００７２】
また、上記第一実施形態では、遮水部材に防水シャッタ３０が用いられている。しかしながら、図６に示される変形例のように、遮水部材には、起伏式の遮水板（防水板）１１０を用いても良い。
【００７３】
具体的には、遮水板１１０は、遮水性及び耐圧性（耐水圧性）を有する金属板や樹脂板等によって形成されている。この遮水板１１０は、例えば、中庭１２に通じる構造体２０の１階２０Ｆ１の通路１００に設けられている。
【００７４】
遮水板１１０は、通路１００の床に形成された凹状の収容部１０２に、起伏可能に収容されている。この遮水板１１０は、横にした状態で収容部１０２に収容される。また、遮水板１１０が収容部１０２に収容された状態では、遮水板１１０によって通路１００の床の一部が形成される。
【００７５】
また、遮水板１１０には、押上げアーム１１２が連結されている。押上げアーム１１２は、収容部１０２に展開可能に収容されている。また、押上げアーム１１２は、例えば、電動式とされており、図示しない制御部によって作動される。この押上げアーム１１２が作動されると、遮水板１１０の一端側が押上げられ、遮水板１１０が床に対して傾斜される。これにより、遮水板１１０によって通路１００が遮水され、中庭１２に雨水Ｗを貯水可能な貯水空間３４が形成される。
【００７６】
なお、遮水板は、起伏式に限らず、スライド式や、スイング式、着脱式であっても良い。
【００７７】
また、例えば、図７に示される変形例のように、遮水部材には、構造体１２０の中庭１２２に面する耐圧ガラス１２４を用いても良い。具体的には、耐圧ガラス１２４は、遮水性及び耐圧性（耐水圧性）を有している。この耐圧ガラス１２４は、中庭１２２に面する窓枠１２６に嵌め込まれている。これらの耐圧ガラス１２４によって中庭１２２を囲むことにより、中庭１２２に貯水空間３４が形成される。
【００７８】
なお、耐圧ガラス１２４は、ガラスに限らず、アクリルガラス等の透明樹脂ガラスも含む概念である。また、耐圧ガラス１２４は、嵌め殺し式でも良いし、開閉式でも良い。
【００７９】
また、図示を省略するが、遮水部材としては、防水ドア等であっても良い。さらに、貯水空間は、前述した各種の遮水部材を適宜組み合わせて形成しても良い。
【００８０】
また、上記第一実施形態では、貯水空間３４に中庭排水管５２を介して排水管４８，５４が接続されている。しかしながら、貯水空間には、必ずしも排水管を接続する必要はない。なお、貯水空間に排水管を接続しない場合、貯水空間に貯水された雨水は、例えば、貯水空間に取り付けられた排水ホース等によって排水される。
【００８１】
また、上記第一実施形態では、構造体２０が平面視にて矩形環状に形成されている。しかしながら、例えば、図８に示される変形例のように、構造物１０の構造体１３０は、平面視にて、開口１３２を有するＣ字形状（コの字形状）に形成されても良い。
【００８２】
構造体１３０の内側には、中庭１３４が形成されている。この場合、前述した起伏式の遮水板１１０（図６参照）や、他の遮水部材によって開口１３２を遮水することにより、中庭１３４に貯水空間を形成することができる。なお、構造体１３０の屋上１３０Ｒには、複数の屋上排水口４２が形成されている。
【００８３】
また、上記第一実施形態では、制御部７０が、降水量予報に基づいて防水シャッタ３０及び開閉部材６０を作動させる。しかしながら、制御部７０は、構造物１０がある地域の実際の降水量に基づいて、防水シャッタ３０及び開閉部材６０を作動させても良い。また、防水シャッタ３０及び開閉部材６０は、操作ボタン等によって作動させることも可能である。
【００８４】
また、上記第一実施形態では、開閉部材６０によって排水管５４が開閉される。しかしながら、開閉部材によって、中庭排水口５０よりも下流側の中庭排水管５２、排水管４８，５４を開閉しても良い。また、開閉部材６０は、適宜省略可能である。
【００８５】
また、上記第一実施形態では、構造体２０の屋上２０Ｒに降った雨水が、貯水空間３４に貯水されるように構成されている。しかしながら、構造体２０の屋上２０Ｒに降った雨水は、貯水空間３４に貯水せずに、例えば、公共雨水管１４に排水しても良い。
【００８６】
また、上記第一実施形態では、中庭１２の地面が露出されている。しかしながら、例えば、中庭にコンクリート床（土間コンクリート）を形成し、当該中庭に形成された貯水空間の雨水の貯水効率を高めても良い。
【００８７】
また、上記第一実施形態では、中庭１２に屋根がないが、中庭には、屋根を設けても良い。この場合、例えば、屋根から雨樋を介して中庭（貯水空間）に雨水が供給される。
【００８８】
また、上記第一実施形態は、集合住宅、公共施設、競技場、工場等の種々の構造物に適用可能である。
【００８９】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００９０】
１０    構造物
１２    中庭
１８    排水管
２０    構造体
３０    防水シャッタ（遮水部材）
３２    収容部
３４    貯水空間
４８    排水管
５２    中庭排水管（排水管）
５４    排水管
６０    開閉部材
８８    排水管
１０２  収容部
１１０  遮水板（遮水部材）
１２０  構造体
１２２  中庭
１２４  耐圧ガラス（遮水部材）
１３０  構造体
１３４  中庭
【図１】
2020180473.tif 000003
【図２】
2020180473.tif 000004
【図３】
2020180473.tif 000005
【図４】
2020180473.tif 000006
【図５】
2020180473.tif 000007
【図６】
2020180473.tif 000008
【図７】
2020180473.tif 000009
【図８】
2020180473.tif 000010